(57)【要約】  空調機管理装置は、表示装置と、第１表示制御部と選択空調機特定部と第２表示制御部と制御情報送信部とを備える。第１表示制御部は、複数の空調機の中の少なくとも１台に対応付けられたアイコンを複数個並べた管理画面を表示装置に表示させる。選択空調機特定部は、管理画面上でユーザの操作により選択された複数のアイコンに対応する複数の空調機を特定する。第２表示制御部は、特定された複数の空調機の運転に関し、一括して設定操作を行うための設定操作情報入力画面を表示させる。制御情報送信部は、ユーザの操作により入力された設定操作情報に基づいて選択空調機特定部で特定された各空調機を制御するための制御情報を生成し、対応する空調機にそれぞれ送信する。  上記により、建物内の複数の空調機を集中管理し、ユーザが任意に選択した複数の空調機に対し、簡単な操作で一括して設定操作を行うことができる。
2015111288.tif 000002
【特許請求の範囲】
【請求項１】
管理対象の建物内の複数の空調機の運転管理を行うための空調機管理装置であって、  表示装置と、  前記複数の空調機の中の少なくとも１台に対応付けられたアイコンを複数個並べた管理画面を、前記表示装置に表示させる第１表示制御部と、  前記管理画面上で、ユーザの操作により選択された複数のアイコンに対応する複数の空調機を特定する選択空調機特定部と、  前記選択空調機特定部で特定された複数の空調機の運転に関し、一括して設定操作を行うための設定操作情報入力画面を、前記表示装置に表示させる第２表示制御部と、  前記設定操作情報入力画面上で、ユーザの操作により入力された設定操作情報に基づいて、前記選択空調機特定部で特定された各空調機を制御するための制御情報を生成し、対応する空調機にそれぞれ送信する制御情報送信部とを備えることを特徴とする空調機管理装置。
【請求項２】
請求項１に記載の空調機管理装置であって、  前記第１表示制御部は、前記管理画面上に、前記複数の空調機の中の少なくとも１台に対応付けられたアイコンとして、前記管理対象の建物内のフロアごとのカテゴリーを示すアイコン、テナントごとのカテゴリーを示すアイコン、エリアごとのカテゴリーを示すアイコン、または空調機ごとのアイコンを、並べて表示させることを特徴とする空調機管理装置。
【請求項３】
請求項２に記載の空調機管理装置であって、  前記選択空調機特定部では、ユーザの操作により、異なるカテゴリーから選択された複数のアイコンに対応する複数の空調機を特定することを特徴とする空調機管理装置。
【請求項４】
請求項１〜３いずれか１項に記載の空調機管理装置であって、  前記選択空調機特定部で特定された複数の空調機の運転状況を示す運転状況一覧画面を、前記表示装置に表示させる第３表示制御部をさらに備えることを特徴とする空調機管理装置。 
【発明の詳細な説明】
【技術分野】
【０００１】  本発明の実施形態は、空調機管理装置に関する。
【背景技術】
【０００２】  通常、複数のテナントが入居する大型の建物には、多数の空調機が設置されている。これらの空調機の動作は、中央の空調機管理装置で集中管理するように空調システムが構築されている。【０００３】  この空調システムにおいて、建物内の多数の空調機のうち、一部の複数台の空調機を空調機管理装置から一括して操作するための技術がある。【０００４】  例えば、制御対象とする複数の空調機について空調機管理装置で予めグルーピング処理を行っておき、ユーザが所望のグループを選択して空調の設定操作を行うことにより、当該グループに属する複数の空調機に対して同一の設定操作（例えば、「設定温度を２５℃にする」など）を一括して行うことができるものである。
【先行技術文献】
【特許文献】
【０００５】
【特許文献１】特開平７−２８０３２９号公報(JP H07-280329 A)
【発明の概要】
【０００６】  しかし上述した技術は、予めグルーピングされた空調機群に対してのみ一括操作できるものであるため、最初にグルーピングしておかなければならず、ユーザが任意に操作対象の複数の空調機を選択して一括操作したい場合に対応できないという問題があった。
【０００７】  本発明が解決しようとする課題は、建物内の複数の空調機を集中管理し、ユーザが任意に選択した複数の空調機に対し、簡単な操作で一括して設定操作を行うことが可能な空調機管理装置を提供することである。
【０００８】  実施形態に係る空調機管理装置は、管理対象の建物内の複数の空調機の運転管理を行うためのものであって、表示装置と、第１表示制御部と選択空調機特定部と第２表示制御部と制御情報送信部とを備える。第１表示制御部は、複数の空調機の中の少なくとも１台に対応付けられたアイコンを複数個並べた管理画面を表示装置に表示させる。選択空調機特定部は、管理画面上でユーザの操作により選択された複数のアイコンに対応する複数の空調機を特定する。第２表示制御部は、特定された複数の空調機の運転に関し、一括して設定操作を行うための設定操作情報入力画面を表示装置に表示させる。制御情報送信部は、ユーザの操作により入力された設定操作情報に基づいて選択空調機特定部で特定された各空調機を制御するための制御情報を生成し、対応する空調機にそれぞれ送信する。
【図面の簡単な説明】
【０００９】
【図１】図１は、実施形態に係る空調機管理装置を用いた空調システムを示す全体図である。
【図２】図２は、実施形態に係る空調機管理装置の構成を示すブロック図である。
【図３】図３は、実施形態に係る空調機管理装置の表示部に表示された、室内機ごとのアイコンが並べられた管理画面の一例を示す画面構成図である。
【図４】図４は、実施形態に係る空調機管理装置の動作を示すフローチャートある。
【図５】図５は、実施形態に係る空調機管理装置の表示部に表示された管理画面において、任意の室内機が選択された状態の一例を示す画面構成図である。
【図６】図６は、実施形態に係る空調機管理装置の表示部に表示された、設定操作情報入力画面の一例を示す画面構成図である。
【図７】図７は、実施形態に係る空調機管理装置の表示部に表示された、フロアごとのアイコンが並べられた管理画面の一例を示す画面構成図である。
【図８】図８は、実施形態に係る空調機管理装置の表示部に表示された、テナントごとのアイコンが並べられた管理画面の一例を示す画面構成図である。
【図９】図９は、実施形態に係る空調機管理装置の表示部に表示された管理画面において、任意のテナントが選択された状態の一例を示す画面構成図である。
【図１０】図１０は、実施形態に係る空調機管理装置の表示部に表示された、運転状況一覧画面の一例を示す画面構成図である。
【発明を実施するための形態】
【００１０】  実施形態に係る空調機管理装置を利用した空調システムの構成について、図１を参照して説明する。
【００１１】  実施形態では、空調管理対象の建物は複数のフロアを有し、各フロアには複数のテナントが入居している。例えば、１階にはテナントＡおよびテナントＢが入居しており、２階にはテナントＣ、テナントＤ、テナントＥ、テナントＦ、テナントＧ、テナントＨが入居している。
【００１２】  １階のテナントＡは事務所ａおよび事務所ｂのエリアを有し、事務所ａには８台の空調室内機（以下、「室内機」と記載する）１０−１〜１０−８が設置され、事務所ｂには８台の室内機１０−９〜１０−１６が設置されている。また、１階のテナントＢは会議室ｃのエリアを有し、会議室ｃには８台の室内機１０−１７〜１０−２４が設置されている。また、１階にはエレベータホールなどの共用部のエリアが設けられ、この１階の共用部のエリアには６台の室内機１０−２５〜１０−３０が設置されている。
【００１３】  また、２階のテナントＣには８台の室内機１０−３１〜１０−３８が設置され、テナントＤには８台の室内機１０−３９〜１０−４６が設置され、テナントＥには１台の室内機１０−４７が設置され、テナントＦには１台の室内機１０−４８が設置され、テナントＧには１台の室内機１０−４９が設置され、テナントＨには５台の室内機１０−５０〜１０−５４が設置されている。また、２階にもエレベータホールなどの共用部のエリアが設けられ、この２階の共用部のエリアには６台の室内機１０−５５〜１０−６０が設置されている。
【００１４】  また、空調管理対象の建物には、複数台の空調室外機（以下、「室外機」と記載する）２０−１〜２０−６が設置されている。これらの室外機２０−１〜２０−６は、1台の室外機に複数の室内機が冷凍サイクルとして接続されるマルチタイプとなっている。例えば、室外機２０−１には室内機１０−１〜１０−１６が接続され、室外機２０−２には室内機１０−１７〜１０−２４が接続され、室外機２０−３には室内機１０−２５〜１０−３０が接続され、室外機２０−４には室外機１０−３１〜１０−４６が接続され、室外機２０−５には室内機１０−４７〜１０−５４が接続され、室外機２０−６には室内機１０−５５〜１０−６０が接続されている。なお、それぞれの室外機と冷凍サイクル接続された室内機との間は、冷媒配管と合わせて信号線も敷設されており、接続された室内機と室外機間と信号線を通じて各種情報の通信が行われる。
【００１５】  また、空調管理対象の建物には、室外機２０−１〜２０−６に接続された空調機管理装置３０が設置され、室外機２０−１〜２０−６を介して室内機１０−１〜１０−６０の動作を監視および制御するよう、空調システム１が構築されている。すなわち、室内機１０−１〜１０−６０は、それぞれが接続されている室外機２０−１〜２０−６に自らの各種情報を送信し、室外機２０−１〜２０−６はこれらの室内機の情報に加え、自らの各種情報を空調機管理装置３０に送信する。
【００１６】  図２に示すように、空調機管理装置３０は、表示部（表示装置）３１と、操作入力部３２と、第１表示制御部３３と、対応情報記憶部３４と、選択空調機特定部３５と、選択情報記憶部３６と、第２表示制御部３７と、制御情報送信部３８とを備える。
【００１７】  表示部３１は、複数の室内機１０−１〜１０−６０の運転管理に関する情報を表示する。
【００１８】  操作入力部３２は、ユーザによる操作情報を入力する。
【００１９】  実施形態では、表示部３１と操作入力部３２とが一体としてタッチパネルで構成されている。
【００２０】  第１表示制御部３３は、複数の室内機１０−１〜１０−６０の中の少なくとも１台に対応付けられたアイコンを複数個並べた管理画面を生成し、表示部３１に表示させる。なお、実施形態に係る空調システムの場合、空調機管理装置３０は、個々に設定が可能な室内機１０−１〜１０−６０を空調機として扱う。
【００２１】  対応情報記憶部３４は、生成された各アイコンと、室内機１０−１〜１０−６０との対応情報を記憶する。
【００２２】  選択空調機特定部３５は、対応情報記憶部３４に記憶された対応情報を参照して、管理画面上で、ユーザの操作により選択された複数のアイコンに対応する複数の室内機を特定する。
【００２３】  選択情報記憶部３６は、選択空調機特定部３５で特定された各室内機の識別情報を記憶する。
【００２４】  第２表示制御部３７は、選択空調機特定部３５で特定された複数の室内機の運転に関し、一括して設定操作を行うための設定操作情報入力画面を生成し、表示部３１に表示させる。
【００２５】  制御情報送信部３８は、設定操作情報入力画面上で、ユーザの操作により入力された設定操作情報に基づいて、選択情報記憶部３６に記憶された各室内機を制御するための制御情報を生成し、対応する室内機にそれぞれ送信する。
【００２６】  次に、ユーザが空調機管理装置３０を用いて、室内機１０−１〜１０−６０内から任意に選択した複数の空調機に対して一括して設定操作を行うときの動作について説明する。
【００２７】  実施形態では、初期状態として、空調機管理装置３０の第１表示制御部３３により、図３に示すような管理画面Ｘが生成され、表示部３１に表示される。管理画面Ｘは、運転状況表示エリア４０と、管理対象表示エリア５０と、表示分類指定エリア６０とを有する。
【００２８】  運転状況表示エリア４０は、空調機情報表示エリア４０１と、運転／停止表示エリア４０２と、運転モード表示エリア４０３と、設定温度表示エリア４０４と、設定風量表示エリア４０５と、設定フラップ動作表示エリア４０６と、手元操作可否表示エリア４０７と、参照温度表示エリア４０８と、換気ＯＮ／ＯＦＦ表示エリア４０９と、パワーレベル表示エリア４１０と、「まとめて設定」ボタン４１１とを有する。
【００２９】  図３では、空調機情報表示エリア４０１には、運転状況表示エリア４０における運転状況の表示対象である室内機を特定する情報として、「１階  テナントＡ  事務所ａ  ＡＣ１０−１」が表示されている。また、当該室内機１０−１の運転状況として、運転／停止表示エリア４０２には当該室内機１０−１が稼働中であることを示す「運転」が表示され、運転モード表示エリア４０３には稼働中の運転モード「暖房」が表示され、設定温度表示エリア４０４には現在の設定温度「２３℃」が表示され、設定風量表示エリア４０５には現在の設定風量「強風」が表示され、設定フラップ動作表示エリア４０６には現在の設定フラップ動作「スイング」が表示され、手元操作可否表示エリア４０７には各室内機の手元コントローラによる操作の受付可否の設定状況「許可」が表示され、参照温度表示エリア４０８には現在推奨温度として設定されている温度「２５℃」が表示され、換気ＯＮ／ＯＦＦ表示エリア４０９には換気動作が作動中であることを示す「ＯＮ」が表示され、パワーレベル表示エリア４１０には当該室内機が運転している能力状況が表示されている。なお、最下段にある「まとめて設定」ボタン４１１は、運転状況表示とは無関係な操作・設定用のボタンであり、後述する管理対象表示エリア５０において複数のアイコンが選択されている状態で操作されると、当該複数のアイコンに対応する全空調機の運転に関し一括して設定操作を行うための一括設定操作要求を入力する。
【００３０】  運転／停止表示エリア４０２は、運転／停止切替ボタンとしても機能し、管理対象表示エリア５０において少なくとも１つのアイコンが選択されている状態で操作されると、当該アイコンに対応する室内機の運転／停止切替え要求を入力する。
【００３１】  運転モード表示エリア４０３は、運転モード切替ボタンとしても機能し、管理対象表示エリア５０において少なくとも１つのアイコンが選択されている状態で操作されると、当該アイコンに対応する室内機の運転モード切替要求を入力する。
【００３２】  設定温度表示エリア４０４は、設定温度変更ボタンとしても機能し、管理対象表示エリア５０において少なくとも１つのアイコンが選択されている状態で操作されると、当該アイコンに対応する室内機の設定温度変更要求を入力する。
【００３３】  設定風量表示エリア４０５は、設定風量変更ボタンとしても機能し、管理対象表示エリア５０において少なくとも１つのアイコンが選択されている状態で操作されると、当該アイコンに対応する室内機の設定風量変更要求を入力する。
【００３４】  設定フラップ動作表示エリア４０６は、設定フラップ動作変更ボタンとしても機能し、管理対象表示エリア５０において少なくとも１つのアイコンが選択されている状態で操作されると、当該アイコンに対応する室内機の設定フラップ動作変更要求を入力する。
【００３５】  手元操作可否表示エリア４０７は、手元操作可否切替ボタンとしても機能し、管理対象表示エリア５０において少なくとも１つのアイコンが選択されている状態で操作されると、当該アイコンに対応する室内機の手元操作可否切替要求を入力する。
【００３６】  換気ＯＮ／ＯＦＦ表示エリア４０９は、換気ＯＮ／ＯＦＦ切替ボタンとしても機能し、管理対象表示エリア５０において少なくとも１つのアイコンが選択されている状態で操作されると、当該アイコンに対応する室内機の換気ＯＮ／ＯＦＦ切替要求を入力する。
【００３７】  管理対象表示エリア５０には、表示分類指定エリア６０内の操作で指定された分類ごとに、少なくとも１台の室内機が対応付けられたアイコンが複数個並べて表示される。
【００３８】  表示分類指定エリア６０は、管理対象表示エリア５０に表示されている全アイコンを選択するための「全選択」ボタン６０１と、管理対象表示エリア５０内で現在選択されているアイコンに対応する室内機の運転状況をリスト表示させるための「リスト」ボタン６０２と、監視対象の機器に対応するアイコンを表示させるための「監視」ボタン６０３と、監視対象の建物内のフロアごとのカテゴリーを示すアイコンを表示させるための「フロア」ボタン６０４と、テナントごとのカテゴリーを示すアイコンを表示させるための「テナント」ボタン６０５と、エリアごとのカテゴリーを示すアイコンを表示させるための「エリア」ボタン６０６と、各室内機を示すアイコンを表示させるための「ユニット」ボタン６０７とを有する。
【００３９】  図３では、表示分類指定エリア６０において「フロア」ボタン６０４に続いて「テナント」ボタン６０５、「エリア」ボタン６０６、および「ユニット」ボタン６０７が操作された状態であり、管理対象表示エリア５０には、操作された順にフロアごと→テナントごと→エリアごとに、階層的に分類された各室内機（ユニット）に対応するアイコンが表示されている。
【００４０】  具体的には、管理対象表示エリア５０には、「１階のテナントＡ内の事務所ａ」に設置されている８台の室内機１０−１〜１０−８にそれぞれ対応するアイコン５０１〜５０８と、「１階のテナントＡ内の事務所ｂ」に設置されている８台の室内機１０−９〜１０−１６にそれぞれ対応するアイコン５０９〜５１６と、「１階のテナントＢ内の会議室ｃ」に設置されている８台の室内機１０−１７〜１０−２４にそれぞれ対応するアイコン５１７〜５２４とが表示されている。
【００４１】  このように表示部３１に表示された管理画面Ｘを用いて、ユーザの操作により任意に選択された複数の室内機の設定温度を一括して「２５℃」に変更操作するときの空調機管理装置３０の動作について、図４のフローチャートを参照して説明する。
【００４２】  まず、ユーザにより管理画面Ｘの管理対象表示エリア５０内の、変更操作対象とする１つ目の室内機１０−１に対応するアイコン５０１がタップ（タッチ）操作されると（Ｓ１の「YES」）、第１表示制御部３３により、タップ操作されたアイコン５０１が選択状態として強調された表示に切替えられるとともに、選択空調機特定部３５により対応情報記憶部３４が参照されてタップされたアイコン５０１に対応する室内機１０−１が特定され、該当する室内機１０−１の識別情報が選択情報記憶部３６に記憶される（Ｓ２）。空調機管理装置３０は、タッチパネルで構成されているため、操作入力部３２と表示部３１とは、連携しており、操作入力部は表示画面のどの位置がタップされたかを検出し、続いてタップされた位置における表示部３１上のアイコンを特定するようになっている。
【００４３】  次に、変更操作対象とする２つ目の室内機１０−２に対応するアイコン５０２がタップ操作されると（Ｓ３の「YES」）、同様に、アイコン５０２が選択状態として強調された表示に切り替えられるとともに、対応する室内機１０−２の識別情報が選択情報記憶部３６に追加されて記憶される（Ｓ２）。
【００４４】  ユーザにより変更操作対象の室内機をさらに追加する操作が行われた場合はステップＳ３→Ｓ２の処理が繰り返され、順次対応する室内機の識別情報が選択情報記憶部３６に追加され記憶される。
【００４５】  実施形態では、図５に示すように、アイコン５０１、５０２、５０８、５１０、５１１、５１２、および５１３が選択され、これらに対応する室内機１０−１、１０−２、１０−８、１０−１０、１０−１１、１０−１２、および１０−１３の識別情報が選択情報記憶部３６に記憶されたものとする。ここで、選択状態として強調された表示とは、図５においては、該当するアイコンの外枠が表示された状態を意味するが、選択状態にあるアイコンの色を、選択状態にないアイコンの色と異ならせても良い。
【００４６】  次に、ユーザにより「まとめて設定」ボタン４１１が操作され、選択されたアイコンに対応する複数の室内機への一括設定操作要求が入力されると（Ｓ４）、第２表示制御部３７により設定操作情報入力画面７０が生成され、図６に示すように表示部３１内にポップアップ表示される（Ｓ５）。
【００４７】  設定操作情報入力画面７０は、設定操作情報入力エリア７１と、ＯＫ（承認）ボタン７２と、キャンセル（取り消し）ボタン７３とを有する。設定操作情報入力エリア７１には、空調機の運転／停止を切り替えるための操作ボタン、運転モードを切り替えるための操作ボタン、所望の設定温度を入力するための設定温度入力エリア、設定風量を切り替えるための操作ボタン、設定フラップ動作を切り替えるための操作ボタン、手元操作可否を切り替えるための操作ボタン、および、換気ＯＮ／ＯＦＦを切り替えるための操作ボタンが表示されている。
【００４８】  ユーザにより、設定操作情報入力エリア７１内の設定温度入力エリアに「２５℃」が入力され（Ｓ６の「YES」）、ＯＫボタン７２が操作（承認操作）されると（Ｓ７の「YES」）、制御情報送信部３８により、設定温度を２５℃に変更するための制御情報が生成され、選択情報記憶部３６に識別情報が記憶されている室内機１０−１、１０−２、１０−８、１０−１０、１０−１１、１０−１２、および１０−１３に送信される（Ｓ８）。
【００４９】  送信された制御情報は室外機２０−１を介して室内機１０−１、１０−２、１０−８、１０−１０、１０−１１、１０−１２、および１０−１３で受信され、それぞれ設定温度が２５℃に変更される。このようにして、ユーザが選択した空調機に対して、一括して同一の設定操作が実行される。
【００５０】  空調機管理装置３０において制御情報送信部３８から各室内機に制御情報が送信されると、第１表示制御部３３により、アイコン５０１、５０２、５０８、５１０、５１１、５１２、および５１３の選択状態が解除されるとともに、選択情報記憶部３６に記憶された室内機の識別情報が削除される（Ｓ９）。
【００５１】  ステップＳ７において、設定操作情報入力画面７０でＯＫボタン７２が操作されずに（Ｓ７の「NO」）キャンセルボタン７３が操作（取消操作）されたとき（Ｓ１０の「YES」）は、ステップＳ４に戻り、選択されているアイコンに対応する複数の室内機への一括設定操作要求が入力されれば（Ｓ４の「YES」）、ステップＳ５〜Ｓ９の処理が実行される。
【００５２】  また、ステップＳ４において「まとめて設定」ボタン４１１ではなく、運転状況表示エリア４０内にある各設定ボタン４０２〜４１０がタップ操作された場合には、その時に選択されている各室内機に対して、操作された設定ボタンに割り付けられている設定内容が一括して設定変更操作できるようになっている。ただし、パワーレベル表示エリア４１０は、表示に使用されるのみで、この部分については、設定操作機能はない。
【００５３】  たとえば、設定温度表示エリア４０４が操作された場合（Ｓ３の「YES」）には、第２表示制御部３７により、所望の設定温度を入力するための設定温度入力エリア、ＯＫボタン、およびキャンセルボタンのみを有する設定操作情報入力画面が生成され、表示部３１にポップアップ表示される。そして、ユーザにより当該設定操作情報入力画面内の設定温度入力エリアに「２５℃」が入力される（Ｓ６の「YES」）ことで、上述した場合と同様に、選択された各空調機の設定温度を変更するための制御情報を生成して送信する（Ｓ７，Ｓ８の処理）ことができる。
【００５４】  なお、図４のフローチャートでは省略したが、選択対象でないアイコンを間違ってタッチしてしまい、選択対象としてしまった場合には、再度選択状態にあるアイコンをタッチすれば、選択状態を解除できるようになっている。
【００５５】  また、ステップＳ９においては、空調機管理装置３０において制御情報送信部３８から各室内機に制御情報が送信されると、選択対象となっていたアイコンの選択状態が解除されるとともに、選択情報記憶部３６に記憶された室内機の識別情報が削除されるようにしたが、引き続き、同じ選択対象に対して別の項目の設定変更を行うケースも考えられるため、ステップＳ９をなくしてもよい。この場合、個々の選択対象に対する選択の解除は、上述のように選択されているアイコンを再度タッチして解除すればよい。
【００５６】  また、管理画面Ｘの表示分類指定エリア６０において、例えば「フロア」ボタン６０４のみが操作されると、図７に示すようにフロアごとのカテゴリーを示すアイコンとして、「１階」アイコン５３１、「２階」アイコン５３２、「３階」アイコン５３３、および「４階」アイコン５３４が表示される。
【００５７】  この「１階」アイコン５３１には複数の室内機１０−１〜１０−３０が対応付けられ、「２階」アイコン５３２には複数の室内機１０−３１〜１０−６０が対応付けられている。
【００５８】  そして、ユーザの操作により例えば「１階」アイコン５３１と「２階」アイコン５３２が選択された状態で、上述した処理と同様に設定操作入力画面を用いて設定情報が入力されると、双方のアイコンに対応する室内機１０−１〜１０−６０に対して一括して制御情報を送信することができる。
【００５９】  また、管理画面Ｘの表示分類指定エリア６０において、例えば「フロア」ボタン６０４に続いて「テナント」ボタン６０５が操作されると、各フロアにおけるテナントごとのカテゴリーを示すアイコンが表示される。例えば図８に示すように、１階に入居しているテナントごとのカテゴリーを示すアイコンとして、「テナントＡ」アイコン５４１、「テナントＢ」アイコン５４２、「共用部」アイコン５４３が表示され、２階に入居しているテナントごとのカテゴリーを示すアイコンとして、「テナントＣ」アイコン５４４、「テナントＤ」アイコン５４５、「テナントＥ」アイコン５４６、「テナントＦ」アイコン５４７、「テナントＧ」アイコン５４８、「テナントＨ」アイコン５４９、および「共用部」アイコン５５０が表示される。
【００６０】  この「テナントＡ」アイコン５４１には複数の室内機１０−１〜１０−１６が対応付けられ、「テナントＢ」アイコン５４２には複数の室内機１０−１７〜１０−２４が対応付けられ、「共用部」アイコン５４３には複数の室内機１０−２５〜１０−３０が対応付けられ、「テナントＣ」アイコン５４４には複数の室内機１０−３１〜１０−３８が対応付けられ、「テナントＤ」アイコン５４５には複数の室内機１０−３９〜１０−４６が対応付けられ、「テナントＥ」アイコン５４６には室内機１０−４７が対応付けられ、「テナントＦ」アイコン５４７には室内機１０−４８が対応付けられ、「テナントＧ」アイコン５４８には室内機１０−４９が対応付けられ、「テナントＨ」アイコン５４９には複数の室内機１０−５０〜１０−５４が対応付けられ、「共用部」アイコン５５０には複数の室内機１０−５５〜１０−６０が対応付けられている。
【００６１】  そして、ユーザの操作により、例えば図９に示すように、１階の「テナントＡ」アイコン５４１および「テナントＢ」アイコン５４２と、２階の「テナントＤ」アイコン５４５、「テナントＥ」アイコン５４６、および「テナントＦ」アイコン５４７とが選択された状態で、上述した処理と同様に設定操作入力画面を用いて設定情報が入力されると、階をまたいでテナント単位で任意で選択されたアイコンに対応する室内機１０−１〜１０−１６、１０−３９〜１０−４８に対して一括して制御情報を送信することができる。
【００６２】  また、管理画面Ｘの表示分類指定エリア６０において、異なるカテゴリーから選択された複数のアイコンに対応する複数の空調機に対して、設定操作入力画面を用いて一括して制御情報を送信するように構成してもよい。
【００６３】  例えば、図７に示すようにフロアごとのカテゴリーでアイコンが表示された画面上で「１階」アイコン５３１が選択された後、図８に示すようにテナントごとのカテゴリーでアイコンが表示される画面に切り替えられ、「テナントＤ」アイコン５４５、「テナントＥ」アイコン５４６、および「テナントＦ」アイコン５４７が選択された状態で設定操作入力画面を用いて設定情報が入力されると、これらの選択されたアイコンに対応する室内機１０−１〜１０−３０、室内機１０−３９〜１０−４８に対して一括して制御情報を送信することができる。
【００６４】  以上のとおり、この空調機管理装置３０では、予め対象となる室内機をグループ分けしておくことなく、その都度、個別の室内機、テナント、エリア、フロア単位等の様々な方法で対象とする室内機を選択し、その選択した室内機に対して、一括して変更操作を行うことができ、操作が簡単となっている。
【００６５】  また、管理画面Ｘの表示分類指定エリア６０において、「フロア」ボタン６０４に続いて「テナント」ボタン６０５、「エリア」ボタン６０６が操作され、各フロアにおける各テナント内のエリアを示すアイコンが表示された状態で、「テナントＡの事務所ａ」アイコンおよび「テナントＡの事務所ｂ」アイコンがユーザにより選択され、さらに「リスト」ボタン６０２が操作されると、図１０に示すように、選択されたアイコンに対応する室内機１０−１〜１０−８および室内機１０−９〜１０−１６に関する運転状況一覧画面が表示部３１に表示される。
【００６６】  実施形態では、空調機管理装置３０として、表示部３１と操作入力部３２とが一体されたタッチパネルを用いたもので説明したが、表示部３１と操作入力部３２は、画面上のアイコンを指定操作可能な装置であればよく、例えば、表示部３１を単なるディスプレイとし、操作入力部３２としてマウス等のポンティングデバイスを使用するようにしてもよい。
【００６７】  実施形態では、１台の室外機に複数の室内機が接続されるマルチタイプにより説明したが、１台の室外機に１台の室内機が接続される、いわゆる１：１（シングルタイプ）の空調機についても同様に実施できる。
【００６８】  実施形態に係る空調機管理装置によれば、建物内の複数の空調機を集中管理し、ユーザが任意に選択した複数の空調機に対し、一括して設定操作を行うことができる。
【００６９】  本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。 
【図１】
2015111288.tif 000003
【図２】
2015111288.tif 000004
【図３】
2015111288.tif 000005
【図４】
2015111288.tif 000006
【図５】
2015111288.tif 000007
【図６】
2015111288.tif 000008
【図７】
2015111288.tif 000009
【図８】
2015111288.tif 000010
【図９】
2015111288.tif 000011
【図１０】
2015111288.tif 000012
【手続補正書】
【提出日】平成28年12月5日(2016.12.5)
【手続補正１】
【補正対象書類名】特許請求の範囲
【補正対象項目名】全文
【補正方法】変更
【補正の内容】
【特許請求の範囲】
【請求項１】
管理対象の建物内の複数の空調機の運転管理を行うための空調機管理装置であって、
表示装置と、
前記複数の空調機の中の少なくとも１台に対応付けられた、前記管理対象の建物内のフロア、テナント、またはエリアのいずれかのカテゴリーによる分類ごとのアイコンを示す画面を、前記表示装置に表示させる第１表示制御部と、
前記表示装置で、ユーザの操作により異なるカテゴリーの画面から選択された複数のアイコンに対応する複数の空調機を特定する選択空調機特定部と、
前記選択空調機特定部で特定された複数の空調機の運転に関し、一括して設定操作を行うための設定操作情報入力画面を、前記表示装置に表示させる第２表示制御部と、
前記設定操作情報入力画面上で、ユーザの操作により入力された設定操作情報に基づいて、前記選択空調機特定部で特定された各空調機を制御するための制御情報を生成し、対応する空調機にそれぞれ送信する制御情報送信部と
を備えることを特徴とする空調機管理装置。
【請求項２】
請求項１に記載の空調機管理装置であって、
前記選択空調機特定部で特定された複数の空調機の運転状況を示す運転状況一覧画面を、前記表示装置に表示させる第３表示制御部をさらに備える
ことを特徴とする空調機管理装置。
【手続補正２】
【補正対象書類名】明細書
【補正対象項目名】０００８
【補正方法】変更
【補正の内容】
【０００８】
実施形態に係る空調機管理装置は、管理対象の建物内の複数の空調機の運転管理を行うためのものであって、表示装置と、第１表示制御部と選択空調機特定部と第２表示制御部と制御情報送信部とを備える。第１表示制御部は、複数の空調機の中の少なくとも１台に対応付けられた、前記管理対象の建物内のフロア、テナント、またはエリアのいずれかのカテゴリーによる分類ごとのアイコンを示す画面を、前記表示装置に表示させる。選択空調機特定部は、前記表示装置でユーザの操作により異なるカテゴリーの画面から選択された複数のアイコンに対応する複数の空調機を特定する。第２表示制御部は、特定された複数の空調機の運転に関し、一括して設定操作を行うための設定操作情報入力画面を表示装置に表示させる。制御情報送信部は、ユーザの操作により入力された設定操作情報に基づいて選択空調機特定部で特定された各空調機を制御するための制御情報を生成し、対応する空調機にそれぞれ送信する。
【国際調査報告】
2015111288.tif 000013
2015111288.tif 000014
2015111288.tif 000015
2015111288.tif 000016